(57)【特許請求の範囲】
【請求項１】
プラグの抜けを防止するために使用されるプラグ保持板であって、
プラグの根元に掛け止めさせるための切欠きを中央に形成し、
前記切欠きの両側には帯状の結束具を差し込むための長孔を平行に形成するとともに、
前記長孔の両端付近及び前記長孔の中央付近に紐状の結束具を差し込むための挿通孔を形成し、前記挿通孔は前記長孔と連なって設けられていることを特徴とする、プラグ保持板。
【発明の詳細な説明】
【技術分野】
【０００１】
この発明は、機器のコネクタに差し込んだプラグが簡単に抜けないようにするプラグ保持板に関するものである。
【背景技術】
【０００２】
本出願人は、接続したプラグが誤って抜けてしまう問題の対策として、例えば特許文献１記載のプラグ抜け防止装置や特許文献２記載のプラグ固定装置を提案した。
【０００３】
特許文献１記載のプラグ抜け防止装置は、プラグの背面に係合させる方形状の係合板と、該係合板を機器に固定する固定部材とで構成され、上記係合板にはプラグの基部を導入する開口部と、上記プラグのケーブルを開口部に案内するためのスリットとを連設するとともに、上記係合板の４つの隅それぞれ円形状の係合孔を配置し、固定部材を面ファスナーで構成するとともに、機器の壁面に取り付ける方形状の取付体と、該取付体の一辺の両端近傍から延出させ、上記係合孔に挿通させる平紐状の係合体で形成し、上記取付体の裏面には該取付体を機器の壁面に固定する接着部材を設けたものである。
【０００４】
また、特許文献２記載のプラグ固定装置は、電気機器の筐体に固定する固定手段を備えた２枚の固定プレートと、インレットに差し込むプラグに係合させる係合部材とから構成され、上記係合部材は、ケーブルを通す開口部が形成された係合板と、該係合板の両端部にそれぞれ取り付けた帯状の面ファスナーとで構成し、上記固定プレートは、先端に上記面ファスナーを通す挿通穴が形成され、上記面ファスナーは終端側を上記固定プレートの挿通穴を挿通させて折り返し、折り返した面ファスナーを始端側の面ファスナーに結合させたものである。
【先行技術文献】
【特許文献】
【０００５】
【特許文献１】実用新案登録第３１６２４９６号公報
【特許文献２】特許第４６０３５２４号公報
【発明の概要】
【発明が解決しようとする課題】
【０００６】
しかしながら、上記した特許文献１記載のプラグ抜け防止装置は、互いに相対するように機器に貼付固定された２つの面ファスナーで係合板を固定するものであり、機器の形状や配置によっては面ファスナーの取り付けが困難な場合があった。例えば、横置きに設置された機器が動かせない場合などは、下面側に面ファスナーの取り付けができない場合があった。
【０００７】
また、上記した特許文献２記載のプラグ固定装置においても、互いに相対するように機器に貼付固定された２つの固定プレートに係合部材の面ファスナーを挿通させて係合板を固定するため、特許文献１記載のプラグ抜け防止装置と同様に、機器の形状や配置によっては固定プレートの取り付けが困難な場合があった。
【０００８】
そこで、本発明は、様々な機器の形状や配置に対応してプラグの抜けを防止することができるプラグ保持板を提供することを課題とする。
【課題を解決するための手段】
【０００９】
本発明は、上記した課題を解決するためになされたものであり、以下を特徴とする。
【００１０】
（請求項１）
請求項１に記載の発明は、以下の点を特徴とする。
【００１１】
すなわち、請求項１に記載のプラグ保持板は、プラグの抜けを防止するために使用されるプラグ保持板であって、プラグの根元に掛け止めさせるための切欠きを中央に形成し、前記切欠きの両側には帯状の結束具を差し込むための長孔を平行に形成するとともに、前記長孔の両端付近及び前記長孔の中央付近に紐状の結束具を差し込むための挿通孔を形成し、前記挿通孔は前記長孔と連なって設けられていることを特徴とする。
【００１２】
【００１３】
【発明の効果】
【００１４】
請求項１に記載の発明は上記の通りであり、切欠きの両側には帯状の結束具を差し込むための長孔を平行に形成するとともに、前記長孔の両端付近及び前記長孔の中央付近に紐状の結束具を差し込むための挿通孔を形成した。すなわち、面ファスナーなどの結束具を挿通するための孔として、長孔と２種類の挿通孔とを設けた。このため、プラグ保持板を結束具で固定する際に状況に応じた孔を選択して結束具を挿通することができるので、結束具の固定位置に関する制約を小さくすることができる。例えば、機器の相対する面に結束具を固定できないために機器の直交する面に結束具を固定した場合でも、長孔と挿通孔とを組み合わせて使用すればプラグ保持板を固定することができるので、様々な機器の形状や配置に対応してプラグの抜けを防止することができる。
【００１５】
また、前記挿通孔は前記長孔と連なって設けられている。このため、挿通孔が小さい場合でも結束具を挿通させやすくすることができる。また、挿通孔と長孔とを近接した位置に設けることができるので、一方の側では挿通孔を使用して結束具を挿通させ、他方の側では長孔を使用して結束具を挿通させるなどした場合でも偏って力が加わることがなく、バランス良くプラグ保持板を支持させることができる。
【図面の簡単な説明】
【００１６】
【図１】プラグ保持板の平面図である。
【図２】（ａ）細長状面ファスナーの表面図、（ｂ）細長状面ファスナーの裏面図、（ｃ）帯状面ファスナーの表面図、（ｄ）帯状面ファスナーの裏面図である。
【図３】第１の取付方法を示す図であって、プラグ保持板を取り付ける前の状態を示す図である。
【図４】第１の取付方法を示す図であって、プラグ保持板を取り付けた後の状態を示す図である。
【図５】第２の取付方法を示す図であって、プラグ保持板を取り付ける前の状態を示す図である。
【図６】第２の取付方法を示す図であって、プラグ保持板を取り付けた後の状態を示す図である。
【図７】第３の取付方法を示す図であって、プラグ保持板を取り付けた後の状態を示す図である。
【図８】第４の取付方法を示す図であって、プラグ保持板を取り付けた後の状態を示す図である。
【発明を実施するための形態】
【００１７】
本発明の実施形態について、図を参照しながら説明する。
【００１８】
本実施形態に係るプラグ保持板１０は、プラグ２４の抜けを防止するために使用されるものであって、図１に示すように、略方形状に形成された板部材である。プラグ保持板１０の材質は、樹脂、木板、金属板など、プラグ２４をしっかりと保持できる程度の硬度をもったものであればよい。このプラグ保持板１０の中央には、プラグ２４の根元２４ａに掛け止めさせるための切欠き１１が形成されている。この切欠き１１は、幅狭に形成された開口部分１１ａが外部に臨んでおり、この開口部分１１ａからプラグケーブル２３を切欠き１１の内側に通すことができる。
【００１９】
このプラグ保持板１０は、図２（ａ）（ｂ）に示すような細長状面ファスナー１７などの紐状の結束具や、図２（ｃ）（ｄ）に示すような帯状面ファスナー１８などの帯状の結束具を使用して機器２２に固定されるものである。このため、前記した切欠き１１の両側には帯状の結束具を差し込むための長孔１２が平行に形成されている。また、この長孔１２の両端付近には端部挿通孔１３が形成され、かつ、この長孔１２の中央付近には中部挿通孔１４が形成され、紐状の結束具を挿通できるようになっている。
【００２０】
なお、図１に示すように、端部挿通孔１３及び中部挿通孔１４は長孔１２と連なって設けられている。詳しくは、端部挿通孔１３は、長孔１２の端部に長孔１２の幅よりもやや大径に設けられた円形の孔である。中部挿通孔１４は、長孔１２の中央において外側に分岐するように設けられた幅狭部１４ａを介して長孔１２と連通する略方形状の孔である。
【００２１】
図２は、本実施形態に係る細長状面ファスナー１７及び帯状面ファスナー１８を示す図である。
【００２２】
細長状面ファスナー１７は、表面の接合面１７ａ全体にフックとループとが混在した面ファスナー（例えば、株式会社クラレ製の「フリーマジック」（登録商標））であり、接合面１７ａが重なり合うように折り返すことでフックがループに引っ掛かって互いに係止し合うことができるものである。この細長状面ファスナー１７は、プラグ保持板１０の挿通孔１３、１４に通すための紐状部１７ｄと、この紐状部１７ｄの基部に設けられた固定端部１７ｂとからなる。固定端部１７ｂの裏面は、機器２２の壁面に接着するための接着部１７ｃとなっており、両面テープなどが貼付されていることで機器２２に固定できるようになっている。
【００２３】
また、帯状面ファスナー１８も細長状面ファスナー１７と同様に、表面の接合面１８ａ全体にフックとループとが混在した面ファスナー（例えば、株式会社クラレ製の「フリーマジック」（登録商標））であり、接合面１８ａが重なり合うように折り返すことでフックがループに引っ掛かって互いに係止し合うことができるものである。この帯状面ファスナー１８は、プラグ保持板１０の長孔１２に通すための帯状部１８ｄと、この帯状部１８ｄの基部に設けられた固定端部１８ｂとからなる。固定端部１８ｂの裏面は、機器２２の壁面に接着するための接着部１８ｃとなっており、両面テープなどが貼付されていることで機器２２に固定できるようになっている。
【００２４】
次に、実際にプラグ保持板１０を使用してプラグ２４を保持する態様について説明する。本実施形態においては、横置きの機器２２にプラグ２４が差し込まれた状態を例にして、第１〜４の４つの取付方法を説明する。
【００２５】
まず、第１の取付方法について説明する。この第１の取付方法は、図３及び図４に示すように、プラグ保持板１０の両側の長孔１２にそれぞれ帯状面ファスナー１８を通すことでプラグ保持板１０を固定し、プラグ２４を保持するものである。
【００２６】
この取付方法においては、図３に示すように、接着部１８ｃを使用して、２つの帯状面ファスナー１８を機器２２の上下に貼付する。このとき、２つの帯状面ファスナー１８が相対するように配置する。
【００２７】
また、プラグ保持板１０の切欠き１１をプラグ２４の根元２４ａに掛け止めする。このとき、２つの長孔１２がそれぞれ上下位置にくるようにする。
【００２８】
そして、帯状面ファスナー１８の帯状部１８ｄを長孔１２に挿通し、挿通した帯状部１８ｄを折り返して図４に示すように係止すれば、プラグ保持板１０によってプラグ２４をしっかりと保持することができる。また、プラグ保持板１０は両側から帯状の結束具によって固定されるため、ガタつきも起きづらく、確実にプラグ２４の抜けを防止することができる。
【００２９】
次に、第２の取付方法について説明する。この第２の取付方法は、図５及び図６に示すように、プラグ保持板１０の一方側の長孔１２に帯状面ファスナー１８を通し、他方側の端部挿通孔１３に細長状面ファスナー１７を通すことでプラグ保持板１０を固定し、プラグ２４を保持するものである。
【００３０】
この取付方法においては、図５に示すように、接着部１７ｃを使用して、２つの細長状面ファスナー１７を機器２２の上下に貼付する。このとき、２つの細長状面ファスナー１７が相対するように配置する。更に、図５に示すように、接着部１８ｃを使用して、１つの帯状面ファスナー１８を機器２２の側部に貼付する。
【００３１】
また、プラグ保持板１０の切欠き１１をプラグ２４の根元２４ａに掛け止めする。このとき、長孔１２が側部の帯状面ファスナー１８の側にくるようにする。
【００３２】
そして、細長状面ファスナー１７の紐状部１７ｄを端部挿通孔１３に挿通し、挿通した紐状部１７ｄを折り返して係止するとともに、帯状面ファスナー１８の帯状部１８ｄを長孔１２に挿通し、挿通した帯状部１８ｄを折り返して係止すれば、図６に示すように、プラグ保持板１０によってプラグ２４をしっかりと保持することができる。また、プラグ保持板１０は、一方側から帯状の結束具によって固定されるとともに、他方側から２つの紐状の結束具によって固定されるため、ガタつきも起きづらく、確実にプラグ２４の抜けを防止することができる。
【００３３】
次に、第３の取付方法について説明する。この第３の取付方法は、図７に示すように、プラグ保持板１０の一方側の長孔１２に帯状面ファスナー１８を通し、他方側の中部挿通孔１４に細長状面ファスナー１７を通すことでプラグ保持板１０を固定し、プラグ２４を保持するものである。
【００３４】
すなわち、第２の取付方法においては１つの帯状面ファスナー１８と２つの細長状面ファスナー１７でプラグ保持板１０を固定したが、機器２２の下面に貼付する細長状面ファスナー１７を省略して、１つの帯状面ファスナー１８と１つの細長状面ファスナー１７でプラグ保持板１０を固定するようにしたものである。
【００３５】
この第３の取付方法は、第２の取付方法と比べて保持力は劣るものの、機器２２を動かせない等の理由によって機器２２の下面に細長状面ファスナー１７が貼り付けられない場合でも使用できるという利点がある。
【００３６】
次に、第４の取付方法について説明する。この第４の取付方法は、図８に示すように、プラグ保持板１０の一方側の長孔１２に帯状面ファスナー１８を通し、他方側の中部挿通孔１４に市販のケーブルタイ２０を通すことでプラグ保持板１０を固定し、プラグ２４を保持するものである。この例においては、ケーブルタイ２０の機器２２への固定は、市販のタイベース２１を機器２２のプラグ装着面に貼付固定し、このタイベース２１にケーブルタイ２０を挿通させることにより実現している。
【００３７】
このように、細長状面ファスナー１７や帯状面ファスナー１８を用いなくても、市販の結束具を使用してもプラグ２４を固定することができる。
【００３８】
なお、上記説明においては特に説明していないが、細長状面ファスナー１７や帯状面ファスナー１８の固定後に紐状部１７ｄや帯状部１８ｄの余長がある場合には、この余長は鋏などで切断すればよい。
【００３９】
以上説明したように、本実施形態によれば、切欠き１１の両側には帯状の結束具１８を差し込むための長孔１２を平行に形成するとともに、前記長孔１２の両端付近及び前記長孔１２の中央付近に紐状の結束具１７，２０を差し込むための挿通孔１３，１４を形成した。このため、プラグ保持板１０を結束具で固定する際に状況に応じた孔を選択して結束具を挿通することができるので、結束具の固定位置に関する制約を小さくすることができる。例えば、機器の相対する面に結束具を固定できないために機器の直交する面に結束具を固定した場合でも、長孔１２と挿通孔１３，１４とを組み合わせて使用すればプラグ保持板１０を固定することができるので、様々な機器の形状や配置に対応してプラグの抜けを防止することができる。
【００４０】
また、前記挿通孔１３，１４は前記長孔１２と連なって設けられているため、挿通孔１３，１４が小さい場合でも結束具を挿通させやすくすることができる。また、挿通孔１３
，１４と長孔１２とを近接した位置に設けることができるので、一方の側では挿通孔１３
，１４を使用して結束具を挿通させ、他方の側では長孔１２を使用して結束具を挿通させるなどした場合でも、バランス良くプラグ保持板１０を支持させることができる。
【００４１】
なお、上記説明においては代表的な取付方法についてのみ説明したが、本発明に係るプラグ保持板１０の取付方法はこれに限られるものではない。機器の形状や配置によって最適な取付方法を採用すればよい。例えば、帯状の結束具を用いずに紐状の結束具のみでプラグ保持板１０を固定してもよいし、中部挿通孔１４のみを使用してプラグ保持板１０を固定してもよい。また、面ファスナーやケーブルタイ以外の結束具を使用してプラグ保持板１０を固定してもよい。
【符号の説明】
【００４２】
１０  プラグ保持板
１１  切欠き
１１ａ  開口部分
１２  長孔
１３  端部挿通孔（挿通孔）
１４  中部挿通孔（挿通孔）
１４ａ  幅狭部
１７  細長状面ファスナー（紐状の結束具）
１７ａ  接合面
１７ｂ  固定端部
１７ｃ  接着部
１７ｄ  紐状部
１８  帯状面ファスナー（帯状の結束具）
１８ａ  接合面
１８ｂ  固定端部
１８ｃ  接着部
１８ｄ  帯状部
２０  ケーブルタイ（紐状の結束具）
２１  タイベース
２２  機器
２３  プラグケーブル
２４  プラグ
２４ａ  根元
【図１】
0005703128.tif 000002
【図２】
0005703128.tif 000003
【図３】
0005703128.tif 000004
【図４】
0005703128.tif 000005
【図５】
0005703128.tif 000006
【図６】
0005703128.tif 000007
【図７】
0005703128.tif 000008
【図８】
0005703128.tif 000009